(57)【特許請求の範囲】
【請求項１】
屋内に設置された浴槽の残り湯を、屋内に設置された洗濯機または屋外に配置された散水具へ供給する残り湯利用システムであって、
一端が前記浴槽内に配置され、他端に、屋内に配置され、前記洗濯機の水槽内に給水するための給水コネクタに着脱自在に接続される第１コネクタが設けられた第１給水路と、
一端に前記散水具が取り付けられ、他端に、屋内に配置され前記第１コネクタが着脱自在に取り付けられる第２コネクタが設けられた第２給水路と、
前記第１給水路に介挿され、電源からの電力供給を受けると、前記浴槽から前記第１給水路に吸入された残り湯を前記第１コネクタ側へ流動させるポンプと、
屋内に配置され、前記電源から導出された電源側給電線に共通接点が接続された第１三路スイッチと、
屋外に配置され、前記ポンプから導出されたポンプ側給電線に共通接点が接続されるとともに、２つの切換接点が、それぞれ前記第１三路スイッチの２つの切換接点にバイパス給電線を介して接続された第２三路スイッチと、
屋外に配置され、前記バイパス給電線に介挿され、前記第１三路スイッチ側の第１接点および第２接点と、前記第２三路スイッチ側の第３接点および第４接点とを有し、前記第１接点が前記第３接点に接続され、前記第２接点が前記第４接点に接続された状態と、前記第１接点が前記第４接点に接続され、前記第２接点が前記第３接点に接続された状態とのいずれかに切り換わる１以上の四路スイッチと、を備える、
残り湯利用システム。
【発明の詳細な説明】
【技術分野】
【０００１】
本発明は、残り湯利用システムに関する。
【背景技術】
【０００２】
従来、浴槽内の残り湯を洗濯機に供給するシステムが提供されている（特許文献１参照）。
【０００３】
特許文献１に記載された残り湯利用システムは、ポンプを用いて浴槽の残り湯を洗濯機の水槽へ供給するものである。
【先行技術文献】
【特許文献】
【０００４】
【特許文献１】特開２０１１−１５３４４２号公報
【発明の概要】
【発明が解決しようとする課題】
【０００５】
ところで、近年、浴槽の残り湯を、洗濯水として利用するのみならず、屋外の庭に散布する水としても利用したいという要請がある。
これに対して、例えば浴槽の給水口に接続された管の先端にコネクタを設け、残り湯を洗濯水として利用する場合、当該コネクタを洗濯機の給水口に接続し、散布用の水として利用する場合、コネクタを散水具が取り付けられたホースに接続する構成が考えられる。そして、コネクタを洗濯機の給水口に接続した状態でポンプを駆動させると、浴槽から洗濯機の水槽へ残り湯が供給される。また、コネクタをホースに接続した状態でポンプを駆動させると、浴槽からホースを介して散水具へ残り湯が供給される。
この構成では、浴槽が屋内に設置されているので、ポンプのスイッチは屋内に設けられているのが通例である。
【０００６】
しかしながら、ポンプのスイッチが屋内に設けられていると、ユーザは、屋内の庭に散水しようとする毎に、屋内に戻ってポンプのスイッチを入れ再び屋外に出るといった作業が必要となり、不便を感じる虞がある。
【０００７】
本発明は、上記事由に鑑みてなされたものであり、利便性の向上を図ることができる残り湯利用システムを提供することを目的とする。
【課題を解決するための手段】
【０００８】
上記目的を達成するために、本発明に係る残り湯利用システムは、
屋内に設置された浴槽の残り湯を、屋内に設置された洗濯機または屋外に配置された散水具へ供給する残り湯利用システムであって、
一端が前記浴槽内に配置され、他端に、屋内に配置され、前記洗濯機の水槽内に給水するための給水コネクタに着脱自在に接続される第１コネクタが設けられた第１給水路と、
一端に前記散水具が取り付けられ、他端に、屋内に配置され前記第１コネクタが着脱自在に取り付けられる第２コネクタが設けられた第２給水路と、
前記第１給水路に介挿され、電源からの電力供給を受けると、前記浴槽から前記第１給水路に吸入された残り湯を前記第１コネクタ側へ流動させるポンプと、
屋内に配置され、前記電源から導出された電源側給電線に共通接点が接続された第１三路スイッチと、
屋外に配置され、前記ポンプから導出されたポンプ側給電線に共通接点が接続されるとともに、２つの切換接点が、それぞれ前記第１三路スイッチの２つの切換接点にバイパス給電線を介して接続された第２三路スイッチと、
屋外に配置され、前記バイパス給電線に介挿され、前記第１三路スイッチ側の第１接点および第２接点と、前記第２三路スイッチ側の第３接点および第４接点とを有し、前記第１接点が前記第３接点に接続され、前記第２接点が前記第４接点に接続された状態と、前記第１接点が前記第４接点に接続され、前記第２接点が前記第３接点に接続された状態とのいずれかに切り換わる１以上の四路スイッチと、を備える。
【発明の効果】
【０００９】
本発明によれば、利便性の向上を図ることができる。
【図面の簡単な説明】
【００１０】
【図１】実施の形態に係る残り湯利用システムの概略構成図である。
【図２】変形例に係る残り湯利用システムの概略構成図である。
【発明を実施するための形態】
【００１１】
本実施の形態に係る残り湯利用システムは、図１に示すように、家屋１００内に設置された浴槽１１の残り湯を、屋内に設置された洗濯機１２または屋外に配置された散水ノズル（散水具）Ｎ１へ供給するものである。
【００１２】
洗濯機１２は、水槽１２ａと、一端が洗濯機１２の水槽１２ａ内に配置され、他端に給水コネクタＣＮ２１が設けられた洗濯機用給水管（第２給水路）ＷＬ３と、を備える。給水コネクタＣＮ２１は、第１コネクタＣＮ１に着脱自在に接続できる。
【００１３】
残り湯利用システムは、吸入管ＷＬ１と、給水管ＷＬ２と、散水ノズルＮ１が取り付けられたホースＨ１と、ポンプ１３と、ポンプ１３に電力を供給する電源回路１４と、三路スイッチ２１、２２と、を備える。
【００１４】
吸入管ＷＬ１は、一端が浴槽１１内に配置され、他端にポンプ１３が接続されている。吸入管ＷＬ１としては、例えばビニルホースを用いることができる。
【００１５】
給水管ＷＬ２は、一端がポンプ１３に接続され、他端に、第１コネクタＣＮ１が設けられている。給水管ＷＬ２としては、例えばビニルホースを用いることができる。そして、上記吸入管ＷＬ１と給水管ＷＬ２とから、一端が浴槽１１内に配置され、他端に第１コネクタＣＮ１が設けられた給水路（第１給水路）が構成されている。
【００１６】
ホースＨ１は、一端に散水ノズルＮ１が取り付けられ、他端に第２コネクタＣＮ２２が設けられている。第２コネクタＣＮ２２は、屋内に配置され、第１コネクタＣＮ１に着脱自在に接続できる。このホースＨ１としては、例えば内径１６ｍｍの塩化ビニル製の管を用いることができる。
なお、第１コネクタＣＮ１、給水コネクタＣＮ２１、第２コネクタＣＮ２２は、例えばロータリージョイント等から構成することができる。
【００１７】
ポンプ１３は、吸入管ＷＬ１と給水管ＷＬ２との間に介挿されている。ポンプ１３は、電源回路１４から電力供給を受けると、内蔵されたポンプ駆動用モータ（図示せず）が動作し、浴槽１１から給水管ＷＬ２に吸入された残り湯を、第１コネクタＣＮ１側へ流動させる。また、ポンプ１３から２つのポンプ側給電線Ｌ２、Ｌ３が導出されており、そのうちポンプ側給電線Ｌ２は、電源回路１４に直接接続されている。
【００１８】
電源回路１４は、例えば電圧変換回路やインバータ回路等を含んで構成されている。電源回路１４は、商用電源ＡＣから供給される電力を変換してポンプ１３に内蔵されたポンプ駆動用モータへ供給する。
【００１９】
第１三路スイッチ２１は、屋内に配置されており、例えば家屋１００の内壁に取り付けられている。第１三路スイッチ２１は、共通接点２１１と、２つの切換接点２１２、２１３とを有し、操作部（図示せず）が操作されることにより、共通接点２１１が、２つの切換接点２１２、２１３のいずれか一方に電気的に接続される。共通接点２１１には、電源回路１４から導出された電源側給電線Ｌ１が接続されている。切換接点２１２、２１３は、それぞれバイパス給電線Ｌ４１、Ｌ４２の一端に接続されている。なお、電源側給電線Ｌ１、バイパス給電線Ｌ４１、Ｌ４２としては、例えばＶＶＦケーブルを用いることができる。
【００２０】
第２三路スイッチ２２は、屋外に配置されており、例えば家屋１００の外壁に取り付けられている。第２三路スイッチ２２は、共通接点２２１と、２つの切換接点２２２、２２３とを有し、操作部（図示せず）が操作されることにより、共通接点２２１が、２つの切換接点２２２、２２３のいずれか一方に電気的に接続される。共通接点２２１には、ポンプ１３から導出されたポンプ側給電線Ｌ３が接続されている。切換接点２２２、２２３は、それぞれバイパス給電線Ｌ４１、Ｌ４２の他端に接続されている。なお、ポンプ側給電線Ｌ３としては、例えばＶＶＦケーブルを用いることができる。
【００２１】
次に、本実施の形態に係る残り湯利用システムの使用方法について説明する。
残り湯を散水に使用したい場合、ユーザは、まず、ポンプ１３が停止した状態で、屋内で第１コネクタＣＮ１を第２コネクタＣＮ２２に接続する。ここにおいて、第１三路スイッチ２１の共通接点２１１が切換接点２１２に接続され、第２三路スイッチ２２の共通接点２２１が切換接点２２３に接続されている。或いは、第１三路スイッチ２１の共通接点２１１が切換接点２１３に接続され、第２三路スイッチ２２の共通接点２２１が切換接点２２２に接続されている。これにより、電源回路１４からポンプ１３への電力供給が遮断される。
【００２２】
その後、ユーザは、屋外に出て、屋外に配置された第２三路スイッチ２２の操作部を操作する。ここで、第１三路スイッチ２１の共通接点２１１が切換接点２１２に接続されている場合、第２三路スイッチ２２の共通接点２２１の接続先が、切換接点２２３から切換接点２２２に切り換わる。また、第１三路スイッチ２１の共通接点２１１と切換接点２１３とが接続されている場合、第２三路スイッチ２２の共通接点２１１の接続先が、切換接点２２２から切換接点２２３に切り換わる。これにより、電源回路１４からポンプ１３へ電力が供給され、ポンプ１３が駆動する。ポンプ１３が駆動することにより、浴槽１１の残り湯が、給水管ＷＬ２、第１コネクタＣＮ１、第２コネクタＣＮ２２およびホースＨ１を介して、散水ノズルＮ１へ供給される。
【００２３】
残り湯を洗濯に使用したい場合、ユーザは、まず、ポンプ１３が停止した状態で、屋内で第１コネクタＣＮ１を洗濯機１２の給水コネクタＣＮ２１に接続する。
【００２４】
その後、ユーザは、屋外に配置された第２三路スイッチ２２の操作部を操作する。ここで、第２三路スイッチ２２の共通接点２２１が切換接点２２３に接続されている場合、第１三路スイッチ２１の共通接点２１１の接続先が、切換接点２１２から切換接点２１３に切り換わる。また、第２三路スイッチ２２の共通接点２２１が切換接点２２２に接続されている場合、第１三路スイッチ２１の共通接点２１１の接続先が、切換接点２１３から切換接点２１２に切り換わる。これにより、電源回路１４からポンプ１３へ電力が供給され、ポンプ１３が駆動する。ポンプ１３が駆動することにより、浴槽１１の残り湯が、給水管ＷＬ２、第１コネクタＣＮ１、給水コネクタＣＮ２１および洗濯機用給水管ＷＬ３を介して、洗濯機１２の水槽へ供給される。
【００２５】
このように、本実施形態に係る残り湯利用システムでは、ユーザが屋外で散水等を行う場合、屋外に配置された第２三路スイッチ２２を操作することにより、散水を開始することができる。一方、ユーザが屋内で洗濯機を使用して洗濯を行う場合、屋内に配置された第１三路スイッチ２１を操作することにより、洗濯機１２の水槽への給水を開始することができる。これにより、例えば、屋外で散水しようとする毎に、屋内に戻ってポンプのスイッチを入れ再び屋外に出るといった作業が不要となるので、ユーザの利便性を向上させることができる。
【００２６】
［変形例］
実施の形態において、第１三路スイッチ２１と第２三路スイッチ２２との間に、１以上の四路スイッチを設けてもよい。
【００２７】
図２は、本変形例に係る残り湯利用システムの概略構成図である。
本変形例に係る残り湯利用システムでは、図２に示すように、バイパス給電線Ｌ５１、Ｌ５２とバイパス給電線Ｌ６１、Ｌ６２との間に介挿された第１四路スイッチ３１と、バイパス給電線Ｌ６１、Ｌ６２とバイパス給電線Ｌ７１、Ｌ７２との間に介挿された第２四路スイッチ３２とを備える。
【００２８】
第１四路スイッチ３１は、第１三路スイッチ２１側の接点（第１接点）３１１および接点（第２接点）３１２と、第２三路スイッチ２２側の接点（第３接点）３１３および接点（第４接点）３１４とを有する。接点３１１および接点３１２は、それぞれバイパス給電線Ｌ５１、Ｌ５２を介して、第１三路スイッチ２１の切換接点２１２、２１３に接続されている。
第１四路スイッチ３１は、接点３１１が接点３１３に接続され、接点３１２が接点３１４に接続された状態と、接点３１１が接点３１４に接続され、接点３１２が接点３１３に接続された状態とのいずれかに切り換わる。
【００２９】
第２四路スイッチ３２は、第１三路スイッチ２１側の接点（第１接点）３２１および接点（第２接点）３２２と、第２三路スイッチ２２側の接点（第３接点）３２３および接点（第４接点）３２４とを有する。接点３２１および接点３２２は、それぞれバイパス給電線Ｌ６１、Ｌ６２を介して、第１四路スイッチ３１の接点３１３、接点３１４に接続されている。接点３２３および接点３２４は、それぞれバイパス給電線Ｌ７１、Ｌ７２を介して、第２三路スイッチ２２の切換接点２２２、２２３に接続されている。
第２四路スイッチ３２は、接点３２１が接点３２３に接続され、接点３２２が接点３２４に接続された状態と、接点３２１が接点３２４に接続され、接点３２２が接点３２３に接続された状態とのいずれかに切り換わる。
【００３０】
第１四路スイッチ３１、第２四路スイッチ３２および第２三路スイッチ２２は、屋外における異なる散水箇所それぞれの近傍に設置することができる。例えば、第１四路スイッチ３１、第２四路スイッチよび第２三路スイッチ２２は、家屋１００の外壁における３つの散水箇所それぞれに近接した部位に設置される。
【００３１】
ところで、例えば屋外に設置されたスイッチが１つだけである構成の場合、散水を開始したり停止したりする毎に、スイッチが設置された場所に戻ってスイッチを操作しなければならない。従って、散水しようとする場所は、スイッチが設けられた場所にある程度近い範囲内に限られてしまう虞がある。
【００３２】
これに対して、本構成によれば、第１四路スイッチ３１、第２四路スイッチ３２および第２三路スイッチ２２を、屋外の比較的広い範囲に分散して配置することができる。この場合、屋外に設置されたスイッチが１つだけの構成に比べて、散水しようとする場所を比較的広い範囲に設定することができるので、ユーザの利便性向上を図ることができる。
【００３３】
上記実施形態の例示的な態様を以下に付記する。
（付記１）
屋内に設置された浴槽の残り湯を、屋内に設置された洗濯機または屋外に配置された散水具へ供給する残り湯利用システムであって、
一端が前記浴槽内に配置され、他端に、屋内に配置され、前記洗濯機の水槽内に給水するための給水コネクタに着脱自在に接続される第１コネクタが設けられた第１給水路と、
一端に前記散水具が取り付けられ、他端に、屋内に配置され前記第１コネクタが着脱自在に取り付けられる第２コネクタが設けられた第２給水路と、
前記第１給水路に介挿され、電源からの電力供給を受けると、前記浴槽から前記第１給水路に吸入された残り湯を前記第１コネクタ側へ流動させるポンプと、
屋内に配置され、前記電源から導出された電源側給電線に共通接点が接続された第１三路スイッチと、
屋外に配置され、前記ポンプから導出されたポンプ側給電線に共通接点が接続されるとともに、２つの切換接点が、それぞれ前記第１三路スイッチの２つの切換接点にバイパス給電線を介して接続された第２三路スイッチと、を備える、
残り湯利用システム。
【００３４】
（付記２）
前記バイパス給電線に介挿され、前記第１三路スイッチ側の第１接点および第２接点と、前記第２三路スイッチ側の第３接点および第４接点とを有し、
前記第１接点が前記第３接点に接続され、前記第２接点が前記第４接点に接続された状態と、前記第１接点が前記第４接点に接続され、前記第２接点が前記第３接点に接続された状態とのいずれかに切り換わる１以上の四路スイッチを更に備える、
付記１に記載の残り湯利用システム。
【符号の説明】
【００３５】
１１：浴槽
１２：洗濯機
１３：ポンプ
２１：第１三路スイッチ
２２：第２三路スイッチ
３１：第１四路スイッチ
３２：第２四路スイッチ
１００：家屋
ＣＮ１：第１コネクタ
ＣＮ２１：給水コネクタ
ＣＮ２２：第２コネクタ
ＷＬ１；吸入管
ＷＬ２：給水管
ＷＬ３：洗濯機用給水管（第２給水路）
Ｈ１：ホース（第３給水路）
Ｌ１、Ｌ２、Ｌ３、Ｌ４１、Ｌ４２、Ｌ５１、Ｌ５２、Ｌ６１、Ｌ６２、Ｌ７１、Ｌ７２：給電線
Ｎ１：散水ノズル（散水具）
【要約】
【課題】利便性の向上を図ることができる残り湯利用システムを提供する。
【解決手段】残り湯利用システムは、給水コネクタＣＮ２１に着脱自在に接続される第１コネクタＣＮ１が設けられた給水管ＷＬ２と、一端に散水ノズルＮ１が取り付けられ、他端に第２コネクタＣＮ２２が設けられたホースＨ１と、給水管ＷＬ２に接続され浴槽１１から吸入した残り湯を第１コネクタＣＮ１側へ流動させるポンプ１３と、を備える。また、残り湯利用システムは、屋内に配置され電源側給電線Ｌ１に共通接点２１１が接続された第１三路スイッチ２１と、屋外に配置されポンプ側給電線Ｌ３に共通接点２２１が接続されるとともに、２つの切換接点２２２、２２３が、それぞれ第１三路スイッチ２１の２つの切換接点２１１、２１２にバイパス給電線Ｌ４１、Ｌ４２を介して接続された第２三路スイッチ２２と、を備える。
【選択図】図１【図１】
0005745143.tif 000002
【図２】
0005745143.tif 000003